(57)【要約】【課題】画像処理に適した作成方法で表示用画像を作成する。【解決手段】電子カメラ２００は、撮像素子１０とアナログ信号処理回路１１とＡ／Ｄ変換回路１２とからなる撮像部を備え、撮像素子１０が撮像した被写体像に関するデジタル信号が出力される。また、電子カメラ２００は、第１入力部１００に入力されたそのデジタル信号に基づく第１取り込み画像４０１に対して画像処理を行い現像画像４０５を生成する第１画像処理部３０７と、第１入力部１００に入力されたそのデジタル信号に対して画像処理を行い第２取り込み画像４０３を生成する第２画像処理部３０５と、現像画像４０５と第２取り込み画像４０３の少なくともどちらか一方に基づいて、ライブビュー画像として表示される表示用画像４０４を生成するリサイズ処理部３０６とを有するＡＳＩＣ１３とを備える。【選択図】図３
2014075762.tif 000002
【特許請求の範囲】
【請求項１】
被写体像を撮像して撮像信号を出力する撮像部と、
前記撮像信号に対して第１の画像処理を実行して第１の画像データを生成する第１の画像処理部と、
前記撮像信号に対して前記第１の画像処理を除く第２の画像処理を実行して前記第１の画像データとは異なる第２の画像データを生成する第２の画像処理部と、
前記第１の画像データと前記第２の画像データの少なくともどちらか一方に基づいて、ライブビュー画像を生成するＬＶ画像生成部とを備えることを特徴とする撮像装置。
【請求項２】
請求項１に記載の撮像装置において、
前記ＬＶ画像生成部は、記録用画像データに付加される明暗差調整による画像効果を前記ライブビュー画像に付加するときは、前記第１の画像データに基づいて前記ライブビュー画像を生成することを特徴とする撮像装置。
【請求項３】
請求項２に記載の撮像装置において、
前記記録用画像データに付加される明暗差調整による画像効果を前記ライブビュー画像に付加しないときは、前記第２の画像データに基づいて前記ライブビュー画像を生成することを特徴とする撮像装置。
【請求項４】
請求項２または３に記載の撮像装置において、
前記第１の画像データを前記記録用画像データに圧縮する圧縮部を更に備えることを特徴とする撮像装置。
【請求項５】
請求項１から４のいずれか一項に記載の撮像装置において、
前記ＬＶ画像生成部によって生成された前記ライブビュー画像を逐次表示する表示部を更に備え、
前記表示部は、前記第１の画像データおよび前記第２の画像データに基づいて生成された前記ライブビュー画像をそれぞれ表示することを特徴とする撮像装置。
【請求項６】
請求項５に記載の撮像装置において、
前記ＬＶ画像生成部は、第１の画像データと第２の画像データとを合成して前記ライブビュー画像を生成し、
前記表示部は、前記第１の画像処理および前記第２の画像処理が付加された前記ライブビュー画像を逐次表示することを特徴とする撮像装置。
【発明の詳細な説明】
【技術分野】
【０００１】
本発明は撮像装置に関する。
【背景技術】
【０００２】
様々な画像効果をライブビュー画像に付加して表示する撮像装置が知られている。（特許文献１）。
【先行技術文献】
【特許文献】
【０００３】
【特許文献１】特開２０１１−１５５４４９号公報
【発明の概要】
【発明が解決しようとする課題】
【０００４】
様々な画像効果をライブビュー画像に付加する工程は複雑であり、同じ作成方法でライブビュー画像を作成することは困難であった。
【課題を解決するための手段】
【０００５】
本発明による撮像装置は、被写体像を撮像して撮像信号を出力する撮像部と、撮像信号に対して第１の画像処理を実行して第１の画像データを生成する第１の画像処理部と、撮像信号に対して第１の画像処理を除く第２の画像処理を実行して第１の画像データとは異なる第２の画像データを生成する第２の画像処理部と、第１の画像データと第２の画像データの少なくともどちらか一方に基づいて、ライブビュー画像を生成するＬＶ画像生成部とを備えることを特徴とする。
【発明の効果】
【０００６】
本発明によれば、画像処理に適した作成方法で表示用画像を作成することができる。
【図面の簡単な説明】
【０００７】
【図１】本発明の一実施の形態による撮像装置の回路構成を例示するブロック図である。
【図２】撮像素子の制御に用いる駆動信号に関するタイミングチャートである。
【図３】ＡＳＩＣに関する機能ブロック図である。
【図４】本発明の一実施の形態による撮像装置において実行される処理に関するフローチャートである。
【発明を実施するための形態】
【０００８】
図１は、本発明の一実施の形態による撮像装置の回路構成を例示するブロック図である。図１に例示される電子カメラ２００は、撮影レンズ７と、絞り８と、絞り駆動部９と、撮像素子１０と、アナログ信号処理回路１１と、Ａ／Ｄ変換回路１２と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１３と、ドライバ１６と、タイミングジェネレータ（ＴＧ）１７と、ＣＰＵ１８と、ＲＡＭ１９と、ＲＯＭ２０と、表示モニタ２１と、メインスイッチ２２と、半押しスイッチ２３と、全押しスイッチ２４と、測光装置２５と、記録媒体２７とを備える。
【０００９】
撮影レンズ７は、ズームレンズやフォーカシングレンズを含む複数のレンズ群で構成され、被写体像を撮像素子１０の受光面に結像させる。なお、図１では、図を簡単にするため、撮影レンズ７は単レンズとして図示されている。絞り８は、複数枚の絞り羽根（不図示）から形成され、撮像素子１０に受光させる光束の光量を調整する。絞り駆動部９は、ＣＰＵ１８が設定した絞り値に基づいて、絞り羽根（不図示）を駆動する。
【００１０】
なお、図１に示す電子カメラ２００は、撮影レンズ７がカメラと一体的に形成された（撮影レンズが着脱不能な）デジタルカメラである。しかしながら後述する構成は、カメラボディと、そのカメラボディに着脱可能な交換レンズからなるカメラシステムに適用することも可能である。その場合、図１に図示された構成のうち撮影レンズ７、絞り８、絞り駆動部９が交換レンズ側の構成となり、その他の構成がカメラボディ側の構成となる。
【００１１】
撮像素子１０は、その撮像面上に撮像画素と焦点検出画素とを有する。撮像画素は、撮像素子１０の撮像面上に、例えばベイヤ配列に従い配置されている。撮像素子１０の撮像面には撮影レンズ７によって被写体像が結像される。撮像素子１０の各画素は、ＣＰＵ１８により設定されたシャッタスピードの間露光して、被写体像の明るさに応じた信号電荷が蓄積される。
【００１２】
撮像素子１０は、内部発振装置１０ａを内蔵する。内部発振装置１０ａは、所定のフレームレートで駆動信号を発生させる。撮像素子１０に蓄積された信号電荷は、内部発振装置１０ａまたは後述するドライバ１６が出力する駆動信号に従って読み出されて、アナログ信号処理回路１１に出力される。撮像画素に蓄積された信号電荷は、ライブビュー画像、各種圧縮形式で圧縮された記録用画像の生成などに用いられる。
【００１３】
アナログ信号処理回路１１は、ＡＧＣ回路やＣＤＳ回路などを含み、撮像素子１０から読み出された信号電荷に対するアナログ信号処理（ゲインコントロール、ノイズ除去など）を行い、撮像信号を出力する。Ａ／Ｄ変換回路１２は、アナログ信号処理回路１１によるアナログ信号処理後の撮像信号をデジタル信号に変換して、ＡＳＩＣ１３に出力する。なお、アナログ信号処理回路１１およびＡ／Ｄ変換回路１２は、撮像素子１０と一体的に形成することができる。
【００１４】
ＡＳＩＣ１３は、ＲＡＭ１９を作業領域として、Ａ／Ｄ変換回路１２から出力されるデジタル信号に対して後述する画像処理を行い、ライブビュー画像、各種圧縮形式で圧縮された記録用画像などを出力する。
【００１５】
タイミングジェネレータ１７は、ＣＰＵ１８の制御のもと、タイミング信号を発生させる。タイミング信号は、アナログ信号処理回路１１、Ａ／Ｄ変換回路１２、およびドライバ１６のそれぞれに供給される。ドライバ１６は、タイミング信号を用いて駆動信号を生成し、その駆動信号を撮像素子１０へ出力する。
【００１６】
ＣＰＵ１８は、マイクロコンピュータなどによって構成され、ＲＡＭ１９を作業領域として用いてＲＯＭ２０に記憶された制御プログラムを実行して、電子カメラ２００の各部を制御する。ＲＡＭ１９は、ＡＳＩＣ１３、ＣＰＵ１８等が各部の処理を実行する際に一時的にデータを格納する作業用メモリである。ＲＯＭ２０は、例えばＥＥＰＲＯＭ、フラッシュメモリ等の不揮発性メモリであって、電子カメラ２００の制御プログラムや設定情報等を記憶している。表示モニタ２１は、例えば液晶モニタであって、ライブビュー画像やメニュー画面や、後述する記録媒体２７に保存された記録用画像などが表示される。表示モニタ２１に表示される表示データは、ＣＰＵ１８により生成される。
【００１７】
メインスイッチ２２は、オン操作またはオフ操作に応じた操作信号をＣＰＵ１８へ出力する。ＣＰＵ１８は、オン操作信号を受けた場合に不図示の電源回路から各ブロックへ電源供給を開始させ、オフ操作信号を受けた場合には該電源回路から各ブロックへの電源供給を停止させる。
【００１８】
半押しスイッチ２３および全押しスイッチ２４は、レリーズボタン（不図示）の押下操作に連動してオン／オフされ、それぞれが操作信号をＣＰＵ１８へ出力する。半押しスイッチ２３は、レリーズボタン（不図示）が通常ストロークの半分程度まで押し下げ操作されると半押し信号を出力する。そして、半押しスイッチ２３は、半ストロークの押し下げ操作解除により半押し信号の出力が解除される。
【００１９】
全押しスイッチ２４は、レリーズボタン（不図示）が通常ストロークまで押し下げ操作されると全押し信号を出力する。そして、全押しスイッチ２４は、通常ストロークの押し下げ操作が解除されると全押し信号の出力が解除される。
【００２０】
測光装置２５は、ＣＰＵ１８に対して半押しスイッチ２３の半押し信号が入力されたとき、被写体の輝度を算出する。記録媒体２７は、たとえば、フラッシュメモリカードなどのデータストレージ部材によって構成され、記録用画像などが保存される。
【００２１】
（駆動信号）
図２（ａ）は、内部発振装置１０ａから出力される駆動信号に関するタイミングチャートである。図２（ａ）では、内部発振装置１０ａから出力される駆動信号は、所定のフレームレートに対応する時間が経過するごとにＨレベルからＬレベルに一時的に立ち下がる。撮像素子１０の各画素の露光は、内部発振装置１０ａから出力される駆動信号が立ち下がったとき（例えば、時刻Ｔ１、時刻Ｔ２）に開始され、設定されたシャッタスピードが経過した後終了する。このシャッタスピードは、駆動信号のフレームレートに制限される。設定されたシャッタスピードが駆動信号のフレームレートより長い場合は、撮像素子１０の各画素はフレームレートに対応する時間だけ露光される。
【００２２】
一方、図２（ｂ）は、撮像素子１０の外部に設けられたドライバ１６から出力される駆動信号に関するタイミングチャートである。図２（ｂ）では、ドライバ１６から出力される駆動信号は、時刻Ｔ３にＨレベルからＬレベルに立ち下がり、時刻Ｔ４にＬレベルからＨレベルに立ち上がっている。駆動信号が立ち下がったとき（例えば、時刻Ｔ３）、撮像素子１０の各画素の露光が開始される。駆動信号が立ち上がったとき（例えば、時刻Ｔ４）、露光が終了して信号電荷の読み出しが開始される。ドライバ１６から出力される駆動信号の立ち下がりから立ち上がりまでの時間（例えば、時刻Ｔ３から時刻Ｔ４までの期間）がシャッタスピードである。ドライバ１６から出力される駆動信号を用いた場合は、ドライバ１６から出力される駆動信号のパルス信号の立ち下がりと立ち上がりを制御することにより、フレームレートが可変となる。つまり、内部発振装置１０ａから出力される駆動信号とは異なり、シャッタスピードは駆動信号のフレームレートに制限されず、画素の露光時間と画素からの信号読出しを適切に制御することができる。
【００２３】
（信号電荷の読み出し方式）
電子カメラ２００は、撮像素子１０に蓄積された信号電荷を読み出す読み出し方式を複数有する。例えば、電子カメラ２００は、全画素読み出し方式、間引き読み出し方式などの読み出し方式を有する。
【００２４】
全画素読み出し方式は、例えば静止画像に関する記録用画像データを記録媒体２７に記録するときなどに用いられる。全画素読み出し方式では、ドライバ１６から撮像素子１０に向けて駆動信号が入力されたとき、その駆動信号に従って撮像素子１０の全画素から信号電荷が読み出される。
【００２５】
間引き読み出し方式は、例えばライブビュー画像を表示モニタ２１に表示させるときなどに用いられる。間引き読み出し方式では、内部発振装置１０ａが所定のフレームレートで駆動信号を発振して、その駆動信号に従って撮像素子１０の一部の画素を間引いて信号電荷が読み出される。これにより、画像処理の対象となる画像データのデータサイズが小さくなり、処理負荷が低減される。
【００２６】
（ＡＳＩＣ１３の動作）
電子カメラ２００は、撮影モードと、第１ライブビュー表示モードと、第２ライブビュー表示モードなどの複数の動作モードを有する。ＡＳＩＣ１３は、各動作モードに対応した画像データを、Ａ／Ｄ変換回路１２から出力されたデジタル信号に基づいて生成する。なお、第１ライブビュー表示モードと第２ライブビュー表示モードとを併せて、ライブビュー表示モードと称する。
【００２７】
図３は、ＡＳＩＣ１３に関する機能ブロック図である。図３に記載のＡＳＩＣ１３は、第１ＡＳＩＣ１３１と第２ＡＳＩＣ１３２とを有する。第１ＡＳＩＣ１３１は、第１入力部１００と第１リサイズ部１０１と第２リサイズ部１０２と第１プリ処理部１０３と第１出力部１０４と第２出力部１０５とを有する。
【００２８】
第２ＡＳＩＣ１３２は、第２入力部３０１と第３入力部３０２と第２プリ処理部３０３と評価値処理部３０４と第２画像処理部３０５とリサイズ処理部３０６と第１画像処理部３０７とＤＳＰ（Ｄｉｇｉｔａｌ  Ｓｉｇｎａｌ  Ｐｒｏｃｅｓｓｏｒ）部３０８と表示部３０９と圧縮部３１２と記録部３１３とを有する。
【００２９】
（撮影モード）
電子カメラ２００は、全押し信号が出力されたとき、撮影モードに移行する。電子カメラ２００が撮影モードのとき、撮像素子１０の読み出し方式は全画素読み出し方式に設定される。撮像素子１０の信号電荷は、ドライバ１６が出力した駆動信号に基づいて読み出される。それらの信号電荷はアナログ信号処理回路１１およびＡ／Ｄ変換回路１２を介してデジタル信号に変換されて、ＡＳＩＣ１３に出力される。Ａ／Ｄ変換回路１２から出力されたデジタル信号は、第１ＡＳＩＣ１３１の第１入力部１００に取り込まれる。
【００３０】
撮影モードでは、第１入力部１００は、Ａ／Ｄ変換回路１２から取り込んだデジタル信号を第１リサイズ部１０１に出力する。撮影モードでは、第１リサイズ部１０１は、そのデジタル信号に対して、記録用画像のためのリサイズ処理を行う。第１リサイズ部１０１によりリサイズ処理を施されたデジタル信号は、第１出力部１０４に出力される。第１出力部１０４は、デジタル信号を第２ＡＳＩＣ１３２の第２入力部３０１へ出力する。
【００３１】
第２ＡＳＩＣ１３２の第２入力部３０１は、第１出力部１０４の出力信号を取得して、第２プリ処理部３０３と評価値処理部３０４に出力する。第２プリ処理部３０３は、第２入力部３０１が取得した信号に対して輪郭補償、ガンマ補正などの画像前処理を行い、その処理結果を第１取り込み画像データ４０１としてＲＡＭ１９に格納する。
【００３２】
評価値処理部３０４は、明暗差調整やホワイトバランス調整などに用いる評価値４０２を各々算出して、その評価値４０２をＲＡＭ１９に格納する。ＤＳＰ部３０８は、ＲＡＭ１９に格納された評価値４０２に基づいて、第１画像処理部３０７における明暗差調整やホワイトバランス調整などに関わるパラメータを各々設定する。
【００３３】
第１画像処理部３０７は、ＲＡＭ１９に格納された第１取り込み画像４０１に対して、ＤＳＰ部３０８から出力された各パラメータに基づいて、ホワイトバランス調整、露出補正、明暗差調整（ダイナミックレンジ拡大）などの画像処理を行い、現像画像４０５としてＲＡＭ１９に格納する。明暗差調整とは、第１取り込み画像４０１のハイライト部の白とびを抑え、シャドー部の黒つぶれを軽減するための画像処理であって、ＤＳＰ部３０８が設定したパラメータに基づいて処理が実行される。明暗差調整の処理は、処理の工程が多く、他の画像処理よりも電力消費量が大きい。
【００３４】
現像画像４０５は、圧縮部３１２にて所定の圧縮形式（例えば、ＪＰＥＧ）の圧縮画像４０６に圧縮される。圧縮された圧縮画像４０６は記録用画像として、記録部３１３により、図１の記録媒体２７に記録される。
電子カメラ２００が撮影モードに移行されてから、記録用画像が記録媒体２７に記録されるまでの一連の処理を撮影処理とする。
【００３５】
（第１ライブビュー表示モード）
電子カメラ２００が第１ライブビュー表示モードのとき、電子カメラ２００の読み出し方式は、間引き読み出し方式に設定される。撮像素子１０の信号電荷は、内部発振装置１０ａが出力した駆動信号に基づいて、所定のフレームレートで読み出される。それらの信号電荷はアナログ信号処理回路１１およびＡ／Ｄ変換回路１２を介してデジタル信号に変換されて、ＡＳＩＣ１３に出力される。Ａ／Ｄ変換回路１２から出力されたデジタル信号は、第１ＡＳＩＣ１３１の第１入力部１００に取り込まれる。
【００３６】
第１ライブビュー表示モードでは、第１入力部１００は、Ａ／Ｄ変換回路１２から取り込んだデジタル信号を第２リサイズ部１０２に出力する。第２リサイズ部１０２は、そのデジタル信号に対して、画像処理用のリサイズ処理を行う。第２リサイズ部１０２によりリサイズ処理が施されたデジタル信号は、先述した第１リサイズ部１０１によりリサイズ処理が施されたデジタル信号よりも、画像データが小さいデジタル信号である。第２リサイズ部１０２によりリサイズ処理が施されたデジタル信号は、第１プリ処理部１０３により輪郭補償、ガンマ補正などの画像前処理が行われて、第２出力部１０５に出力される。第２出力部１０５は、画像前処理後の信号を、第２ＡＳＩＣ１３２の第３入力部３０２へ出力する。
【００３７】
第２ＡＳＩＣ１３２の第３入力部３０２は、第２出力部１０５の出力信号を取得して、第２画像処理部３０５に出力する。第２画像処理部３０５は、第１画像処理部３０７が行う画像処理のうち少なくとも明暗差調整を除く画像処理を第２出力部１０５により取得された信号に対して実行することにより第２取り込み画像データ４０３を生成して、その第２取り込み画像データ４０３をＲＡＭ１９に格納する。第２画像処理部３０５は、明暗差調整を実行しないため、第１画像処理部３０７より電力消費量が小さい。
【００３８】
リサイズ処理部３０６は、第２取り込み画像データ４０３に対して、再度リサイズ処理を行い、表示用画像４０４を生成し、ＲＡＭ１９に格納する。表示部３０９は、この表示用画像４０４を表示モニタ２１に出力する。このようにすることで、内部発振装置１０ａが出力した駆動信号のフレームレートで、表示用画像４０４が表示モニタ２１においてライブビュー画像として表示される。
【００３９】
（第２ライブビュー表示モード）
第２ライブビュー表示モードでは、撮影モードにおいて生成される現像画像４０５に付加されている画像効果と同一の画像効果が付加されたライブビュー画像を表示モニタ２１に表示させる。例えば、撮影モード時に用いられる絞り値やシャッタスピードによる画像効果、撮影モード時に第２ＡＳＩＣ１３２の第１画像処理部３０７が行う露出補正や明暗差調整による画像効果をライブビュー画像に付加する。これにより、ユーザは、撮影により得られる画像に付加される画像効果を撮影前に確認することができるようになる。
【００４０】
第２ライブビュー表示モードでは、どの画像効果をライブビュー画像に付加するかによって、撮像素子１０の読み出し方式やＡＳＩＣ１３内での処理手順が異なる。例えば、第２ライブビュー表示モードにおいて、電子カメラ２００は、撮影モード時に用いられるシャッタスピードによる画像効果をライブビュー画像に付加する場合、撮像素子１０の読み出し方式を全画素読み出し方式に設定する。すなわち、ドライバ１６が出力した駆動信号（図２（ｂ））に基づいて、撮像素子１０の全画素から信号電荷の読み出しを行う。一方、シャッタスピードによる画像効果以外の画像効果をライブビュー画像に付加する場合、撮像素子１０の読み出し方式を間引き読み出し方式に設定する。すなわち、内部発振装置１０ａが出力した駆動信号（図２（ａ））に基づいて、撮像素子１０から信号電荷の読み出しを行う。シャッタスピードによる画像効果をライブビュー画像に付加する場合、先述したとおり、内部発振装置１０ａが出力した駆動信号に基づいて、撮像素子１０からの信号電荷の読み出し制御を行うと、シャッタスピードが駆動信号のフレームレートに制限される恐れがある。そのため、ドライバ１６から出力される駆動信号の立ち上がりと立ち下がりのタイミングを制御することにより、撮影モード時に用いられるシャッタスピードに対応することができる。
【００４１】
読み出された信号電荷はアナログ信号処理回路１１およびＡ／Ｄ変換回路１２を介してデジタル信号に変換されて、ＡＳＩＣ１３に出力される。Ａ／Ｄ変換回路１２から出力されたデジタル信号は、第１ＡＳＩＣ１３１の第１入力部１００に取り込まれる。なお、明暗差調整による画像効果をライブビュー画像に付加する場合、Ａ／Ｄ変換回路１２から出力されるデジタル信号は、アンダー気味に露出制御される。
【００４２】
第１ＡＳＩＣ１３１の第１入力部１００がＡ／Ｄ変換回路１２から取り込んだデジタル信号を出力する先は、ライブビュー画像に付加する画像効果に基づいて切り替えられる。例えば、明暗差調整による画像効果をライブビュー画像に付加する場合、第１入力部１００は、第１リサイズ部１０１に向けてデジタル信号を出力する。一方、明暗差調整による画像効果以外の画像効果をライブビュー画像に付加する場合、第１入力部１００は、第２リサイズ部１０２に向けてデジタル信号を出力する。明暗差調整による画像効果をライブビュー画像に付加する場合に、第１入力部１００が撮影モードのとき同様に第１リサイズ部１０１に向けてデジタル信号を出力するのは、明暗差調整を実行可能な第１画像処理部３０７を利用するためである。一方、明暗差調整による画像効果以外の画像効果をライブビュー画像に付加する場合に、第１入力部１００が第１ライブビュー表示モードのときと同様に第２リサイズ部１０２に向けてデジタル信号を出力するのは、第１画像処理部３０７より電力消費量が小さい第２画像処理部３０５を利用するためである。なお、明暗差調整による画像効果をライブビュー画像に付加する場合のために第２画像処理部３０５に明暗差調整用の回路を設けた場合、評価値の算出などの工程が増加することにより、明暗差調整による画像効果以外の画像効果をライブビュー画像に付加するときの電力消費量や処理負荷が増加してしまう。
【００４３】
明暗差調整による画像効果をライブビュー画像に付加する場合、第１入力部１００は、Ａ／Ｄ変換回路１２から取り込んだデジタル信号を第１リサイズ部１０１に出力する。第１リサイズ部１０１は、第１入力部１００が出力したデジタル信号に対して記録用画像用よりも画像データの小さい表示画像用のサイズとなるようにリサイズ処理を行う。第１リサイズ部１０１は、リサイズ処理後のデジタル信号を第１出力部１０４へ出力する。第１出力部１０４は、リサイズ処理後のデジタル信号を第２ＡＳＩＣ１３２の第２入力部３０１へ出力する。
【００４４】
第２ＡＳＩＣ１３２の第２入力部３０１は、第１出力部１０４の出力信号を取得して、第２プリ処理部３０３と評価値処理部３０４に出力する。第２プリ処理部３０３は、第２入力部３０１が取得した信号に対して輪郭補償、ガンマ補正などの画像前処理を行い、その処理結果を第１取り込み画像データ４０１としてＲＡＭ１９に格納する。
【００４５】
評価値処理部３０４は、明暗差調整に用いる評価値４０２を算出して、その評価値４０２をＲＡＭ１９に格納する。ＤＳＰ部３０８は、ＲＡＭ１９に格納された評価値４０２に基づいて、第１画像処理部３０７における明暗差調整に関わるパラメータを設定する。第１画像処理部３０７は、そのパラメータを用いて第１取り込み画像４０１に対して明暗差調整を行い、現像画像４０５としてＲＡＭ１９に格納する。
【００４６】
明暗差調整による画像効果をライブビュー画像に付加する場合、リサイズ処理部３０６は、現像画像４０５に対してリサイズ処理を行い、表示用画像４０４を生成する。表示部３０９は、この表示用画像４０４をライブビュー画像として表示モニタ２１に出力する。
【００４７】
明暗差調整による画像効果以外の画像効果をライブビュー画像に付加する場合、第１入力部１００は、Ａ／Ｄ変換回路１２から取り込んだデジタル信号を第２リサイズ部１０２に出力する。その後、第１ライブビュー表示モードと同一の方法で表示用画像４０４を生成する。
【００４８】
図４は、メインスイッチ２２がオン操作されて、電子カメラ２００の各部に電源供給が行われたときにＣＰＵ１８が開始する処理の流れを示すフローチャートである。
【００４９】
ステップＳ６００では、ＣＰＵ１８は、電子カメラ２００の動作モードがライブビュー表示モードであるか否かを判定する。電子カメラ２００の動作モードが第１ライブビュー表示モードまたは第２ライブビュー表示モードであるとき、ステップＳ６００は肯定判定される。ＣＰＵ１８は、ステップＳ６００が肯定判定された場合は処理をステップＳ６０１に進め、ステップＳ６００が否定判定された場合は処理をステップＳ６２０に進める。
【００５０】
ステップＳ６０１では、ＣＰＵ１８は、電子カメラ２００の動作モードが第２ライブビュー表示モードであるか否かを判定する。ＣＰＵ１８は、ステップＳ６０１が肯定判定された場合は処理をステップＳ６０２に進め、ステップＳ６０１が否定判定された場合、つまり電子カメラ２００の動作モードが第１ライブビュー表示モードである場合は処理をステップＳ６１０に進める。
【００５１】
ステップＳ６０２では、ＣＰＵ１８は、第２ライブビュー表示モードにおいてライブビュー画像に付加する画像効果がシャッタスピードによる画像効果か否かを判定する。ＣＰＵ１８は、ステップＳ６０２が肯定判定された場合は処理をステップＳ６０３に進め、ステップＳ６０２が否定判定された場合は処理をステップＳ６１０に進める。
【００５２】
ステップＳ６０３では、ＣＰＵ１８は、全画素読み出し方式を用いた撮像素子１０の信号電荷の読み出しを開始する。撮像素子１０から読み出された信号電荷は、アナログ信号処理回路１１およびＡ／Ｄ変換回路１２を介してデジタル信号に変換されて、ＡＳＩＣ１３に出力される。
【００５３】
ステップＳ６０４では、ＣＰＵ１８は、ＡＳＩＣ１３に対して表示用画像４０４を生成させる。
ステップＳ６０５では、ＣＰＵ１８は、表示モニタ２１にライブビュー画像を逐次表示させる。ＣＰＵ１８は、ＡＳＩＣ１３に対して、表示用画像４０４を表示モニタ２１に出力させる。表示用画像４０４は、表示モニタ２１においてライブビュー画像として表示される。
【００５４】
ステップＳ６０６では、ＣＰＵ１８は、全押しスイッチ２４の全押し信号が入力されたか否かを判定する。ＣＰＵ１８は、ステップＳ６０６が肯定判定された場合は処理をステップＳ６２０に進め、ステップＳ６０６が否定判定された場合は処理をステップＳ６００に戻す。
【００５５】
ステップＳ６１０では、ＣＰＵ１８は、間引き読み出し方式を用いた撮像素子１０の信号電荷の読み出しを開始する。撮像素子１０から読み出された信号電荷は、アナログ信号処理回路１１およびＡ／Ｄ変換回路１２を介してデジタル信号に変換されて、ＡＳＩＣ１３に出力される。
【００５６】
ステップＳ６１１では、ＣＰＵ１８は、第２ライブビュー表示モードにおいてライブビュー画像に付加する画像効果が明暗差調整による画像効果か否かを判定する。ＣＰＵ１８は、ステップＳ６１１が肯定判定された場合は処理をステップＳ６１２に進め、ステップＳ６１１が否定判定された場合は処理をステップＳ６０４に進める。電子カメラの動作モードが第１ライブビュー表示モードの場合、ＣＰＵ１８はステップＳ６１１を否定判定し、処理をステップＳ６０４に進める。
【００５７】
ステップＳ６１２では、ＣＰＵ１８は、ＡＳＩＣ１３に対して、明暗差調整用の表示用画像４０４を生成させる。すなわち、ＣＰＵ１８は、ＡＳＩＣ１３に対して、現像画像４０５を生成させ、その現像画像４０５を用いて表示用画像４０４を生成させる。
【００５８】
ステップＳ６２０では、ＣＰＵ１８は、撮影処理を実行する。すなわち、ＣＰＵ１８は、電子カメラ２００が撮影モードに移行されてから、記録用画像が記憶媒体２７に記録されるまでの一連の処理を実行する。
【００５９】
ステップＳ６２１では、ＣＰＵ１８は、図４に示す処理の実行を終了するか否かを判定する。ＣＰＵ１８は、例えば、メインスイッチ２０がオフ操作されたか否かを判定する。ＣＰＵ１８は、ステップＳ６２１が肯定判定された場合は図４の処理を終了し、ステップＳ６２１が否定判定された場合は処理をステップＳ６００に戻す。
【００６０】
以上で説明した実施の形態によれば、以下の作用効果が得られる。
電子カメラ２００は、撮像素子１０とアナログ信号処理回路１１とＡ／Ｄ変換回路１２とからなる撮像部を備え、撮像素子１０が撮像した被写体像に関するデジタル信号が出力される。また、電子カメラ２００は、第１入力部１００に入力されたそのデジタル信号に基づく第１取り込み画像４０１に対して画像処理を行い現像画像４０５を生成する第１画像処理部３０７と、第１入力部１００に入力されたそのデジタル信号に対して画像処理を行い第２取り込み画像４０３を生成する第２画像処理部３０５と、現像画像４０５と第２取り込み画像４０３の少なくともどちらか一方に基づいて、ライブビュー画像として表示される表示用画像４０４を生成するリサイズ処理部３０６とを有するＡＳＩＣ１３とを備える。このような構成を備えることにより、電子カメラ２００は、画像処理に適した作成方法で表示用画像４０４を作成することができる。
記録用画像の生成に用いる第１画像処理部３０７は明暗差調整を行う回路を有している。一方、明暗差調整による画像効果を付加しないライブビュー画像の生成に用いる第２画像処理部３０５は明暗差調整を行う回路を有さない。画像に対して明暗差調整を行う場合、画像に対して明暗差調整を行わない場合と比べて、評価値の算出など多くの工程が必要となる。そのため、第１画像処理部３０７を用いて画像処理を行う場合、第２画像処理部３０５を用いて画像処理を行う場合よりも電力消費量が大きくなる。明暗差調整による画像効果を付加したライブビュー画像を生成する場合、第１画像処理部３０７のように明暗差調整を行う回路を有する画像処理部を要するが、第２画像処理部３０５に明暗差調整を行う回路を設けてしまうと、明暗差調整による画像効果を付加しないライブビュー画像を生成する際の電力消費量や処理負荷が増加してしまう。電子カメラ２００では、明暗差調整による画像効果を付加したライブビュー画像を生成する場合、記録用画像を生成するために元々明暗差調整を行う回路を有する第１画像処理部３０７を用いて、明暗差調整を行うことにより、明暗差調整による画像効果を付加しないライブビュー画像を生成する際の電力消費量や処理負荷が増加しない。
【００６１】
以上で説明した実施形態は、以下のように変形して実施できる。
〔変形例１〕シャッタスピードによる画像効果とは異なる画像効果をライブビュー画像に付加する場合においても、ドライバ１６から出力される駆動信号により信号電荷を読み出すようにしてもよい。
【００６２】
〔変形例２〕
上記の実施の形態では、ライブビュー画像は、電子カメラ２００に内蔵された表示モニタ２１に表示されるものとしたが、外部の表示装置に表示することにしてもよい。ライブビュー画像を外部の表示装置に表示する場合、ＡＳＩＣ１３は表示部３０９とは異なる第２表示部を更に備え、第２表示部から外部の表示装置に表示用画像を出力する。第２表示部は、外部の表示装置に適したフレームレートで表示用画像を出力する。例えば、外部の表示装置の画面解像度が表示モニタ２１に比べて高い場合はフレームレートを落とす。
【００６３】
〔変形例３〕
上記の実施の形態では、ＡＳＩＣ１３は、ライブビュー表示モードでは、現像画像４０５に対してリサイズ処理を行った表示用画像と、第２取り込み画像データ４０３に対してリサイズ処理を行った表示用画像とのいずれか片方を、表示部３０９から表示モニタ２１に向けて出力するものとした。しかし、ＡＳＩＣ１３は、現像画像４０５に対してリサイズ処理を行った表示用画像と、第２取り込み画像データ４０３に対してリサイズ処理を行った表示用画像との両方を同時に生成して、それらを同時に表示モニタ２１などに表示させることにしてもよい。二つの表示用画像を、それぞれ異なる表示装置に同時に表示させてもよいし、表示モニタ２１に並べて表示させてもよい。これにより、明暗差調整を適用したライブビュー画像と他の画像効果（例えば、絞りによる画像効果）を付加したライブビュー画像とすることで、複数の画像効果の比較や複数の画像効果の調整を行いながら撮影することが可能となる。
【００６４】
また、ＡＳＩＣ１３が現像画像４０５に対してリサイズ処理を行った表示用画像と、第２取り込み画像データ４０３に対してリサイズ処理を行った表示用画像とを合成する合成部を更に有し、合成画像を表示モニタ２１に出力することにしてもよい。このようにすることで、ＡＳＩＣ１３は、二つの画像を重ね合わせたライブビュー画像を作成することができる。
【００６５】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００６６】
１０  撮像素子
１０ａ  内部発振装置
１３  ＡＳＩＣ
１６  ドライバ
１７  タイミングジェネレータ
２０  ＲＯＭ
２１  表示モニタ
２７  記録媒体
３１３  記録部
２００  電子カメラ
【図１】
2014075762.tif 000003
【図２】
2014075762.tif 000004
【図３】
2014075762.tif 000005
【図４】
2014075762.tif 000006